(57)【要約】      （修正有）【課題】多種服用の薬の置き忘れ状態を防止し、分別して容器に有る場合は、小粒薬を取り出しやすいのみぐすりコップを提供する。【解決手段】のみぐすりコップは、蓋８の有る容器１の領域内に、区画２を複数設け、区画の中に緩く収まるコップ３を出し入れ自在にし、コップの先端部に、突き出したつまみ４を施し、容器の上面の長い横の縁９に曜日、短い縁１０に時刻を施した。【選択図】図１
0003225380.tif 000002
【実用新案登録請求の範囲】
【請求項１】
蓋（８）の有る容器（１）の領域内に、区画（２）を複数設け、その区画（２）の中に緩く収まるコップ（３）を出し入れ自在にし、コップ（３）の先端部に、突き出したつまみ（４）を施し、容器（１）の上面の長い横の縁（９）に曜日（６）、短い縁（１０）に時刻（７）を施したのみぐすりコップ。
【考案の詳細な説明】
【技術分野】
【０００１】  この考案は、のみぐすりを飲むための準備をする用具に関するものである。
【背景技術】
【０００２】この考案には、次のような背景と技術があった。
（イ）のみぐすりを医師が定めた時間に服用するため、患者はその薬を身近な所に保管する必要があった。
（ロ）それを保管する方法のひとつに、一週間分の薬を曜日毎に分けて保管する容器があった。
【考案の概要】
【考案が解決しようとする課題】
【０００３】  従来容器で、箱形の容器があって、一週間の三食の前後と寝る前に服用する薬を保管するための区画が２８区施してあり、その区画の中に直接、服用する複数の薬を一種一種カバーから弾き出して入れておく容器がある。
服用する薬を区画から取り出す時は、区画の中に人差し指などを差し入れて取り出すが、区画の中は指を入れて薬を取り上げるには狭く、ましてや区画の角に小粒薬がはまってしまった時に小粒薬は指の取り出す圧力で潰れてしまう事もあり、年配者は苦労していた。
そのような場合、ティッシュペーパーに水気を持たせ、角で崩れた粉薬を拭き取ったティッシュの部分を切り取ってそれを飲み込んでいた。
また、容器は使わず、服用の都度、その薬を一種一種カバーから弾き出す方法も有り、その場合、間違って弾き出されない取り残された薬は、その日は服用されずといった事や、弾き出された薬が、手の平に乗らずこぼれ、薬は行方不明になってしまったり、の課題があった。
そして、このくすりの問題は、広く一般家庭においての課題でもある。子供、大人、老齢者の健康管理者である主婦にとって、服用するくすりの管理を如何に確実に行うかは、大きい課題であった。
【課題を解決するための手段】
【０００４】  容器（１）の２８区画（２）のそれぞれの中に、突き出したつまみ（４）を施したコップ（３）を入れ備え、そのコップ（３）の中に、事前にくすり（５）を入れておき、決められた服用時にそのコップ（３）から直接服用する。このくすり（５）は、朝だけのくすり（５）、朝と昼だけ、朝と夜だけ、朝と昼と夕に、また夜用にと、多様で数多くのくすり（５）を確実に服用するため、コップ（３）も多様な用途に従って使用は仕分けされる。
また、コップ（３）には、服用の曜日（６）と服用の時刻（７）がそれぞれ色彩とその濃淡とによって識別できるよう施されたおり、このコップ（３）を使用して、くすり（５）を飲みことを特徴とするのみぐすりコップ（３）である。
【考案の効果】
【０００５】  以下、本考案の効果を説明する。
（イ）透明容器（１）の透明区画（２）の中に、透明のコップ（３）を備え、このコップ（３）の中にくすり（５）が入れてある。
（ロ）コップ（３）４個は、１個１個に服用するくすり（５）の服用曜日（６）と服用時刻（７）をはっきりさせるため、決められたその色彩が施されてある。
（ハ）コップ（３）の飲み口部に例えば緑色、黄色、赤色、白色のその色の濃淡で、服用する曜日（６）と時刻（７）が示される。
（ニ）くすり（５）を飲む時は、その曜日のコップ（３）の区画（２）の突き出したつまみ（４）をつまんでコップ（３）を取り、そのコップ（３）から一気に飲む、若しくは手の平に置いてから飲むので、くすり（５）は一時で全部飲み干すことが出来る。
（ホ）飲み終えたコップ（３）は、区画（２）の元の場所に入れ戻して置けば次の準備が出来る。
（ヘ）透明区画（２）の所には、透明のコップ（３）が備えてあるので、その中のくすり（５）の有る無しがすぐに分かる。
（ト）コップ（３）の中には、医師が定めた服用時刻（７）のくすり（５）を朝だけ服用するもの、朝と昼のもの、朝と昼と夜のもの、夜だけのものが分けて入れられてあり、コップ（３）の役目は重要である。
（チ）この透明コップ（３）により、のみくすり（５）の服用が規則正しく行える。
（リ）家庭などでの一周間のくすり（５）管理を、毎週日曜午前中などとして決めて行えば、この負担が軽くなる。
【図面の簡単な説明】
【０００６】
【図１】本考案の斜視図
【図２】本考案の使用状態図
【考案を実施するための形態】
【０００７】以下、本考案の実施の形態を説明する。
（イ）本考案は容器（１）の領域内に、コップ（３）を２８個納める区画（２）を２８施し、それを囲むように日曜から土曜までの曜日（６）を表示する長い横の縁（９）と朝、昼、夕、夜の時刻（７）を表示する短い縁（１０）と蓋（８）を施す。
（ロ）容器（１）の全面に、２８の区画（２）を施すが、区画（２）には日曜、月曜、火曜、水曜、木曜、金曜、土曜の七日間の曜日（６）を長い横の縁（９）に表示し、短い縁（１０）には、朝、昼、夕、夜の四時刻（７）を表示して施す。
（ハ）まず、２８の区画（２）は、深さ２ｃｍ、大きさ２ｃｍ四方形で、コップ（３）
（ニ）２８個をそれぞれに出入り自在に収納し、かつ、コップ（３）と区画（２）の密着度は、小さいくすり（５）がコップ（３）に入れる時こぼしても、底に落ちる事は無いように施す。
（ホ）そのコップ（３）の飲み口部に高さ５ミリの突き出たつまみ（４）を施す。突き出たつまみ（４）は、つまみやすいように先端部全般に子供の手の指先のような球形（１１）で施される。
（ヘ）長い横の縁（９）の面に、曜日（６）の日、月、火、水、木、金、土の文字を、また、短い縁（１０）の面に、時刻（７）の朝、昼、夕、夜の文字を目立つ明るい色彩で施す。
（ト）目立つ色彩として、交通信号の緑色、黄色、赤色を活かし、長い横の縁（９）の箇所に、日曜は緑、月曜は黄、火は赤、水は白、木は緑、金は黄、土曜は赤として曜日（６）を表示する。
但し、色は一実施例である。自由に選択してよい。
（チ）短い縁（１０）の時刻（７）の色は、（ヌ）に示した濃度と同じで、朝は１０度、昼は７度、夕は４度、夜は２度である。これは、一実施例である。
（リ）曜日（６）の色の施し箇所は、コップ（３）の、突き出したつまみ（４）部に施す。
（ヌ）また、時刻（７）を認識させるために、曜日（６）の色の濃淡を施す。
（ル）時刻（７）朝から曜日（６）の日曜日までのコップ（３）の色の濃さを、濃度１０。時刻（７）昼から曜日（６）の日曜日までを、濃度７。時刻（７）夕から曜日（６）の日曜日までを、濃度４。時刻（７）夜から曜日（６）の日曜日までを、濃度２で、突き出したつまみ（４）部に色の濃淡を施す。
本考案は以上のような構成である。
【０００８】本考案を使用するときは、例えば火曜日の昼の会社員の場合、事務所で昼食後、いつものくすり（５）容器の中からくすり（５）を手の平に取り出し、一気に水で飲み込んだ。このくすり（５）は、朝食後、くすり（５）を飲み終えたコップ（３）を火曜日の朝の区画（２）に戻すと、会社の事務所で服用するためその右隣の区画（２）から時刻（７）昼のコップ（３）を取り出し、中のくすり（５）をいつものくすり（５）容器に入れてきたものだ。
【符号の説明】
【０００９】１  容器
２  区画
３  コップ
４  突き出したつまみ
５  くすり
６  曜日
７  時刻
８  蓋
９  長い横の縁
１０  短い縁
１１  球形
【図１】
0003225380.tif 000003
【図２】
0003225380.tif 000004